(57)【要約】【課題】面倒なネジ止め作業なしで簡単にリムを構成部品と確実に連結することができる眼鏡リムの連結機構を提供すること。【解決手段】リム１のロック端部１１・１１にはそれぞれ止着孔１１ａ・１１ａが開設されている一方、前記ブリッジＢおよび／またはエンドピースＥの端部にはジョイント部材２が突成されており、このジョイント部材２にはガイドスリット２１が上下方向に亙り形成され、このガイドスリット２１の断面形状は前記リム１の断面形状と略同等であって、かつ、内側面には止着突起２１ａが突設されており、前記リム１のロック端部１１・１１が前記ジョイント部材２のガイドスリット２１に沿って挿入し、かつ、前記止着孔１１ａが止着突起２１ａにそれぞれ嵌入することによって前記リム１の両ロック端部１１・１１が合接されてレンズＬが止着固定され、かつ、前記リム１と、ブリッジＢおよび／またはエンドピースＥとを連結固定するという技術的手段を採用した。【選択図】  図２
2004341150.tif 000002
【特許請求の範囲】
【請求項１】
左右一対のレンズＬ・ＬがブリッジＢで連結されたフロント部の外側縁部には、テンプルＴを連結するエンドピースＥが配設されており、前記レンズＬの周縁をリム１が抱持して成るフルリム眼鏡において、
前記リム１のロック端部１１・１１にはそれぞれ止着孔１１ａ・１１ａが開設されている一方、前記ブリッジＢおよび／またはエンドピースＥの端部にはジョイント部材２が突成されており、
このジョイント部材２にはガイドスリット２１が上下方向に亙り形成され、このガイドスリット２１の断面形状は前記リム１の断面形状と略同等であって、かつ、内側面には止着突起２１ａが突設されており、
前記リム１のロック端部１１・１１が前記ジョイント部材２のガイドスリット２１に沿って挿入し、かつ、前記止着孔１１ａが止着突起２１ａにそれぞれ嵌入することによって前記リム１の両ロック端部１１・１１が合接されてレンズＬが止着固定され、かつ、前記リム１と、ブリッジＢおよび／またはエンドピースＥとを連結固定することを特徴とする眼鏡リムの連結機構。
【請求項２】
左右一対のレンズＬ・ＬがブリッジＢで連結されたフロント部の外側縁部には、テンプルＴを連結するエンドピースＥが配設されており、前記レンズＬの周縁の少なくとも一部をリム１が抱持して成るハーフリム眼鏡において、
前記リム１のロック端部１１には止着孔１１ａが開設されている一方、前記ブリッジＢおよび／またはエンドピースＥの端部にはジョイント部材２が突成されており、
このジョイント部材２にはガイドスリット２１が上下方向に亙り形成され、このガイドスリット２１の断面形状は前記リム１の断面形状と略同等であって、かつ、内側面には止着突起２１ａが突設されており、
前記リム１のロック端部１１が前記ジョイント部材２のガイドスリット２１に沿って挿入し、かつ、前記止着突起２１ａが止着孔１１ａに嵌入することによって前記リム１と、ブリッジＢおよび／またはエンドピースＥとを連結固定することを特徴とする眼鏡リムの連結機構。
【請求項３】
左右一対のレンズＬ・ＬがブリッジＢで連結されたフロント部の外側縁部には、テンプルＴを連結するエンドピースＥが配設されており、前記レンズＬの周縁をリム１が抱持して成るフルリム眼鏡において、
前記リム１のロック端部１１・１１にはそれぞれ係止凸部１１ｂ・１１ｂが突設されている一方、前記ブリッジＢおよび／またはエンドピースＥの端部にはジョイント部材２が突成されており、
このジョイント部材２にはガイドスリット２１が上下方向に亙り形成され、このガイドスリット２１の断面形状は前記リム１の断面形状と略同等であって、かつ、内側面には止着凹部２１ｂが形成されており、
前記リム１のロック端部１１・１１が前記ジョイント部材２のガイドスリット２１に沿って挿入し、かつ、前記係止凸部１１ｂが止着凹部２１ｂにそれぞれ嵌入することによって前記リム１の両ロック端部１１・１１が合接されてレンズＬが止着固定され、かつ、前記リム１と、ブリッジＢおよび／またはエンドピースＥとを連結固定することを特徴とする眼鏡リムの連結機構。
【請求項４】
左右一対のレンズＬ・ＬがブリッジＢで連結されたフロント部の外側縁部には、テンプルＴを連結するエンドピースＥが配設されており、前記レンズＬの周縁の少なくとも一部をリム１が抱持して成るハーフリム眼鏡において、
前記リム１のロック端部１１には係止凸部１１ｂが突設されている一方、前記ブリッジＢおよび／またはエンドピースＥの端部にはジョイント部材２が突成されており、
このジョイント部材２にはガイドスリット２１が上下方向に亙り形成され、このガイドスリット２１の断面形状は前記リム１の断面形状と略同等であって、かつ、内側面には止着凹部２１ｂが形成されており、
前記リム１のロック端部１１が前記ジョイント部材２のガイドスリット２１に沿って挿入し、かつ、前記止着凹部２１ｂが係止凸部１１ｂに嵌入することによって前記リム１と、ブリッジＢおよび／またはエンドピースＥとを連結固定することを特徴とする眼鏡リムの連結機構。
【請求項５】
リム１のロック端部１１側面に対向的に係止凸部１１ｂ・１１ｂが突設されており、これら係止凸部１１ｂ・１１ｂが、ガイドスリット２１の両側の係合側壁２２に形成された止着凹部２１ｂ・２１ｂに嵌合されることを特徴とする請求項３または４記載の眼鏡リムの連結機構。
【請求項６】
リム１のロック端部１１の先端から軸方向に、割り溝１２が形成されており、内側圧縮方向に撓曲してガイドスリット２１の両側の係合側壁２２に形成された止着凹部２１ｂ・２１ｂに嵌合されることを特徴とする請求項５記載の眼鏡リムの連結機構。
【請求項７】
レンズＬがリム１の内側に抱持され、かつ、このリム１のロック端部１１がジョイント部材２のガイドスリット２１に沿って嵌入した状態で、係合側壁２２・２２が内側方向に互いに折曲されることによって、リム１を緊止可能に構成したことを特徴とする請求項１〜６の何れか一つに記載の眼鏡リムの連結機構。
【請求項８】
リム１の断面形状がリム外側に拡がるテーパ型に形成されたことを特徴とする請求項１〜７の何れか一つに記載の眼鏡リムの連結機構。
【請求項９】
リム１のロック端部１１の背面側がテーパ型に形成され、ジョイント部材２のガイドスリット２１に沿って嵌入容易に構成したことを特徴とする請求項１〜８の何れか一つに記載の眼鏡リムの連結機構。
【発明の詳細な説明】
【０００１】
【発明の属する技術分野】
本発明は、眼鏡の組み立て構造の改良、更に詳しくは、面倒なネジ止め作業なしで簡単にリムを構成部品と確実に連結することができる眼鏡リムの連結機構に関するものである。
【０００２】
【従来の技術】
周知のとおり、眼鏡は様々な部品から構成されており、これらの部品を連結するためには、止着ネジが用いられるが、このネジが微細なために作業が面倒であり、しかも緩み易い。
【０００３】
ところで、従来のフルリムでレンズを止着する眼鏡にあっては、レンズをリムに抱持するためにリムの周縁を上下に分断してブロー智（ち）を固着し、レンズを嵌合して前記ブロー智をネジによって止着固定する、所謂「リムロック機構」を採用したものがある（例えば、特許文献１参照）。
【０００４】
しかしながら、前述したように、止着ネジによってリムを固定するものは、ネジが微細なために作業が面倒である上に、ネジが緩んでレンズが外れたりするおそれがあり、逆に、締める力が強すぎるとリムが破断したり、レンズを破損するおそれもある。
【０００５】
また、部品の組み立てに関する連結箇所にはロウ付け作業などの面倒な作業が必要であるため、レンズを止着固定の作業および眼鏡の組み立て作業の簡素化が望まれていた。
【０００６】
【特許文献１】
特開平１０−１７０８７２号公報  （第２−３頁、第１−４図）
【０００７】
【発明が解決しようとする課題】
本発明は、従来の眼鏡の組み立ての際に上記のような欠点があったことに鑑みて為されたものであり、その目的とするところは、面倒なネジ止め作業なしで簡単にリムを構成部品と確実に連結することができる眼鏡リムの連結機構を提供することにある。
【０００８】
【課題を解決するための手段】
本発明者が上記課題を解決するために採用した手段を添付図面を参照して説明すれば次のとおりである。
【０００９】
即ち、本発明は、左右一対のレンズＬ・ＬがブリッジＢで連結されたフロント部の外側縁部には、テンプルＴを連結するエンドピースＥが配設されており、前記レンズＬの周縁をリム１が抱持して成るフルリム眼鏡において、
前記リム１のロック端部１１・１１にはそれぞれ止着孔１１ａ・１１ａが開設されている一方、前記ブリッジＢおよび／またはエンドピースＥの端部にはジョイント部材２が突成されており、
このジョイント部材２にはガイドスリット２１が上下方向に亙り形成され、このガイドスリット２１の断面形状は前記リム１の断面形状と略同等であって、かつ、内側面には止着突起２１ａが突設されており、
前記リム１のロック端部１１・１１が前記ジョイント部材２のガイドスリット２１に沿って挿入し、かつ、前記止着孔１１ａが止着突起２１ａにそれぞれ嵌入することによって前記リム１の両ロック端部１１・１１が合接されてレンズＬが止着固定され、かつ、前記リム１と、ブリッジＢおよび／またはエンドピースＥとを連結固定するという技術的手段を採用した。
【００１０】
また、本発明は、左右一対のレンズＬ・ＬがブリッジＢで連結されたフロント部の外側縁部には、テンプルＴを連結するエンドピースＥが配設されており、前記レンズＬの周縁の少なくとも一部をリム１が抱持して成るハーフリム眼鏡において、
前記リム１のロック端部１１には止着孔１１ａが開設されている一方、前記ブリッジＢおよび／またはエンドピースＥの端部にはジョイント部材２が突成されており、
このジョイント部材２にはガイドスリット２１が上下方向に亙り形成され、このガイドスリット２１の断面形状は前記リム１の断面形状と略同等であって、かつ、内側面には止着突起２１ａが突設されており、
前記リム１のロック端部１１が前記ジョイント部材２のガイドスリット２１に沿って挿入し、かつ、前記止着突起２１ａが止着孔１１ａに嵌入することによって前記リム１と、ブリッジＢおよび／またはエンドピースＥとを連結固定するという技術的手段を採用した。
【００１１】
また、本発明は、左右一対のレンズＬ・ＬがブリッジＢで連結されたフロント部の外側縁部には、テンプルＴを連結するエンドピースＥが配設されており、前記レンズＬの周縁をリム１が抱持して成るフルリム眼鏡において、
前記リム１のロック端部１１・１１にはそれぞれ係止凸部１１ｂ・１１ｂが突設されている一方、前記ブリッジＢおよび／またはエンドピースＥの端部にはジョイント部材２が突成されており、
このジョイント部材２にはガイドスリット２１が上下方向に亙り形成され、このガイドスリット２１の断面形状は前記リム１の断面形状と略同等であって、かつ、内側面には止着凹部２１ｂが形成されており、
前記リム１のロック端部１１・１１が前記ジョイント部材２のガイドスリット２１に沿って挿入し、かつ、前記係止凸部１１ｂが止着凹部２１ｂにそれぞれ嵌入することによって前記リム１の両ロック端部１１・１１が合接されてレンズＬが止着固定され、かつ、前記リム１と、ブリッジＢおよび／またはエンドピースＥとを連結固定するという技術的手段を採用した。
【００１２】
また、本発明は、左右一対のレンズＬ・ＬがブリッジＢで連結されたフロント部の外側縁部には、テンプルＴを連結するエンドピースＥが配設されており、前記レンズＬの周縁の少なくとも一部をリム１が抱持して成るハーフリム眼鏡において、
前記リム１のロック端部１１には係止凸部１１ｂが突設されている一方、前記ブリッジＢおよび／またはエンドピースＥの端部にはジョイント部材２が突成されており、
このジョイント部材２にはガイドスリット２１が上下方向に亙り形成され、このガイドスリット２１の断面形状は前記リム１の断面形状と略同等であって、かつ、内側面には止着凹部２１ｂが形成されており、
前記リム１のロック端部１１が前記ジョイント部材２のガイドスリット２１に沿って挿入し、かつ、前記止着凹部２１ｂが係止凸部１１ｂに嵌入することによって前記リム１と、ブリッジＢおよび／またはエンドピースＥとを連結固定するという技術的手段を採用した。
【００１３】
また、本発明は、上記課題を解決するために、必要に応じて上記手段に加え、リム１のロック端部１１側面に対向的に係止凸部１１ｂ・１１ｂが突設されており、これら係止凸部１１ｂ・１１ｂを、ガイドスリット２１の両側の係合側壁２２に形成された止着凹部２１ｂ・２１ｂに嵌合するという技術的手段を採用した。
【００１４】
更にまた、本発明は、上記課題を解決するために、必要に応じて上記手段に加え、リム１のロック端部１１の先端から軸方向に、割り溝１２が形成されており、内側圧縮方向に撓曲してガイドスリット２１の両側の係合側壁２２に形成された止着凹部２１ｂ・２１ｂに嵌合するという技術的手段を採用した。
【００１５】
更にまた、本発明は、上記課題を解決するために、必要に応じて上記手段に加え、レンズＬがリム１の内側に抱持され、かつ、このリム１のロック端部１１がジョイント部材２のガイドスリット２１に沿って嵌入した状態で、係合側壁２２・２２が内側方向に互いに折曲されることによって、リム１を緊止可能に構成するという技術的手段を採用した。
【００１６】
更にまた、本発明は、上記課題を解決するために、必要に応じて上記手段に加え、リム１の断面形状をリム外側に拡がるテーパ型に形成するという技術的手段を採用した。
【００１７】
更にまた、本発明は、上記課題を解決するために、必要に応じて上記手段に加え、リム１のロック端部１１の背面側をテーパ型に形成し、ジョイント部材２のガイドスリット２１に沿って嵌入容易に構成するという技術的手段を採用した。
【００１８】
【発明の実施の形態】
本発明の実施形態を具体的に図示した図面に基いて更に詳細に説明すると次のとおりである。
【００１９】
『第１実施形態』
本発明の第１実施形態について図１から図５に基いて説明する。なお、本実施形態では、左右一対のレンズＬ・ＬがブリッジＢで連結されたフロント部の外側縁部には、テンプルＴを連結するエンドピースＥが配設されており、前記レンズＬの周縁をリム１が抱持してフルリム眼鏡を構成している（図１参照）。
【００２０】
図中、符号１で指示するものはリムであり、このリム１は、上下に分断されてロック端部１１・１１が形成されている。また、符号２で指示するものはジョイント部材であり、このジョイント部材２は、前記ブリッジＢおよび／またはエンドピースＥ（本実施形態ではエンドピースＥ）の端部に突成されている。
【００２１】
しかして、本実施形態の眼鏡を構成するにあっては、まず、前記リム１の上下の各ロック端部１１・１１にそれぞれ止着孔１１ａ・１１ａを開設する。また、前記ジョイント部材２にはガイドスリット２１を上下方向に亙り形成し、このガイドスリット２１の断面形状は前記リム１の断面形状と略同等であって、かつ、内側面には止着突起２１ａを突設する。
【００２２】
本実施形態におけるジョイント部材２は、ナイロン樹脂やアクリル樹脂材料、ポリエチレン樹脂、ポリスチレン樹脂、ポリカボネート樹脂、エンジニアリングプラスチックなどの樹脂材料、あるいはアルミ合金やステンレスなどの金属材料で作製することができる。
【００２３】
そして、前記リム１のロック端部１１・１１を前記ジョイント部材２のガイドスリット２１に沿って挿入し、前記止着孔１１ａが止着突起２１ａにそれぞれ嵌入させる（図２参照）。
【００２４】
この際、リム１のロック端部１１の背面側をテーパ型に形成することにより、ロック端部１１を上下からジョイント部材２のガイドスリット２１に沿って嵌入容易に構成することもできる（図３参照）。
【００２５】
また、リム１の断面形状をリム外側に拡がるテーパ型に形成する。このように係合側壁２２に対して外れないようなものであれば、その他の形状に変更することもできる（図４参照）。
【００２６】
こうすることにより、前記リム１の上下の両ロック端部１１・１１が合接されてレンズＬを止着固定でき、かつ、前記リム１とエンドピースＥとを連結固定することができる（図５参照）。
【００２７】
『第２実施形態』
次に、本発明の第２実施形態について図６から図８に基いて説明する。本実施形態では、レンズＬがリム１の内側に抱持され、かつ、このリム１のロック端部１１をジョイント部材２のガイドスリット２１に沿って嵌入し、止着孔１１ａと止着突起２１ａとを嵌合した状態で、係合側壁２２・２２を内側方向に互いに折曲することによって、リム１を緊止可能に構成する（図８参照）。
【００２８】
なお、図示しないが、本実施形態の連結機構は、リム１のロック端部１１が係止凸部１１ｂであって、ジョイント部材２の止着凹部２１ｂと嵌合する組み合わせであっても良い。
【００２９】
『第３実施形態』
次に、本発明の第３実施形態について図９および図１０に基いて説明する。本実施形態では、レンズＬの周縁の少なくとも一部をリム１が抱持してハーフリム眼鏡を構成している（図９参照）。
【００３０】
また、本実施形態では、前記リム１のロック端部１１に止着孔１１ａ・１１ａを２箇所開設し、その対応位置に該当するジョイント部材２のガイドスリット２１の内側面には止着突起２１ａ・２１ａを２箇所に突設する。
【００３１】
そして、前記リム１のロック端部１１を前記ジョイント部材２のガイドスリット２１に沿って挿入し、かつ、前記止着突起２１ａ・２１ａを止着孔１１ａ・１１ａに嵌入することによって、第１実施形態と同様に前記リム１とエンドピースＥとを連結固定する。
【００３２】
なお、図１０中の記号ｈで指示するものはバンド穴であり、このバンド穴ｈにバンドを連結することにより、レンズＬの下弦部を吊支することができる。
【００３３】
『第４実施形態』
次に、本発明の第４実施形態について図１１に基いて説明する。本実施形態においては、リム１のロック端部１１・１１にはそれぞれ係止凸部１１ｂ・１１ｂが突設されている。また、ジョイント部材２にはガイドスリット２１が上下方向に亙り形成され、このガイドスリット２１の断面形状は前記リム１の断面形状と略同等であり、かつ、内側面には止着凹部２１ｂが形成されている。
【００３４】
そして、前記リム１のロック端部１１・１１が前記ジョイント部材２のガイドスリット２１に沿って挿入し、かつ、前記係止凸部１１ｂが止着凹部２１ｂにそれぞれ嵌入することによって前記リム１の両ロック端部１１・１１が合接されてレンズＬを止着固定でき、かつ、前記リム１とエンドピースＥとを連結固定する。
【００３５】
『第５実施形態』
次に、本発明の第５実施形態について図１２に基いて説明する。本実施形態においては、リム１のロック端部１１側面に対向的に係止凸部１１ｂ・１１ｂが突設されており、これら係止凸部１１ｂ・１１ｂが、ガイドスリット２１の両側の係合側壁２２に形成された止着凹部２１ｂ・２１ｂに嵌合させることができる。
【００３６】
この際、リム１のロック端部１１の軸方向に、割り溝１２が形成されており、圧縮方向に撓曲させることができ、両側の係合側壁２２に形成された止着凹部２１ｂ・２１ｂに嵌合させることができる。
【００３７】
本発明は概ね上記のように構成されるが、本発明は図示の実施形態に限定されるものでは決してなく、「特許請求の範囲」の記載内において種々の変更が可能であって、例えば、本発明の連結機構は、フルリム眼鏡にもハーフリム眼鏡にも採用することができる。また、上記実施形態ではエンドピースＥ部分に採用した場合を説明したが、ブリッジＢ部分に採用することも当然可能である。
【００３８】
更にまた、止着孔１１ａおよび止着突起２１ａ、または係止凸部１１ｂおよび止着凹部２１ｂの組み合わせ、更に、これらの突起の数は適宜変更することができ、何れのものも本発明の技術的範囲に属する。
【００３９】
【発明の効果】
以上、実施形態を挙げて説明したとおり、本発明にあっては、リムのロック端部に形成した止着孔（係止凸部）およびジョイント部材の止着突起（止着凹部）とが係合することによって、ロウ付け作業を行わなくても、リムと、ブリッジおよび／またはエンドピースとを簡単に連結固定できる。
【００４０】
また、フルリム眼鏡においては、レンズ止着のための面倒なネジ止め作業も必要がなく、眼鏡の組み立て作業の負担も軽減されることから、実用的利用価値は頗る高いと云える。
【図面の簡単な説明】
【図１】本発明の第１実施形態の眼鏡を表わす全体斜視図である。
【図２】本発明の第１実施形態の構造を表わす分解斜視図である。
【図３】本発明の第１実施形態の構造を表わす説明側面図である。
【図４】本発明の第１実施形態のジョイント部材を表わす説明上面図である。
【図５】本発明の第１実施形態の連結状態を表わす斜視図である。
【図６】本発明の第２実施形態の構造を表わす分解斜視図である。
【図７】本発明の第２実施形態の連結状態を表わす斜視図である。
【図８】本発明の第２実施形態のジョイント部材を表わす説明上面図である。
【図９】本発明の第３実施形態の眼鏡を表わす全体斜視図である。
【図１０】本発明の第３実施形態の構造を表わす分解斜視図である。
【図１１】本発明の第４実施形態の構造を表わす分解斜視図である。
【図１２】本発明の第５実施形態の構造を表わす分解斜視図である。
【符号の説明】
１    リム
１１  ロック端部
１１ａ  止着孔
１１ｂ  係止凸部
１２  割り溝
２    ジョイント部材
２１  ガイドスリット
２１ａ  止着突起
２１ｂ  止着凹部
２２  係合側壁
Ｌ    レンズ
Ｂ    ブリッジ
Ｅ    エンドピース
Ｔ    テンプル
ｈ    バンド穴
【図１】
2004341150.tif 000003
【図２】
2004341150.tif 000004
【図３】
2004341150.tif 000005
【図４】
2004341150.tif 000006
【図５】
2004341150.tif 000007
【図６】
2004341150.tif 000008
【図７】
2004341150.tif 000009
【図８】
2004341150.tif 000010
【図９】
2004341150.tif 000011
【図１０】
2004341150.tif 000012
【図１１】
2004341150.tif 000013
【図１２】
2004341150.tif 000014